(57)【要約】【課題】  着衣の上から、身体のツボや押圧したいところの適所に、指圧具本体を、帯体で固定し、適度に押圧を加え、人体に刺激を与えて血行を促進し、さらに本人の体重を利用して押圧を加え、肩こりや腰痛、背痛を軽減し、指圧具の着脱が簡単な器具を課題とした。【解決手段】柔軟性のある上面カバーシートと、上面カバーシートの下側に配置される柔軟性のある下面カバーシートと、上面カバーシートの上側に配置される伸縮性を有さない強化シートと、上面カバーシートと下面カバーシートとを接着してなる仕切りにより隣り合うように設けられる複数の収納部に遊挿される外表面が略球面状の複数の指圧体とを備え、１つの収納部に１つの指圧体が遊挿された状態で、上面カバーシート、下面カバーシート及び強化シートの縁辺が閉じられているまたはシールされていることを特徴とする指圧具。【選択図】図１
2020078463.tif 000002
【特許請求の範囲】
【請求項１】
柔軟性のある上面カバーシートと、
前記上面カバーシートの下側に配置される柔軟性のある下面カバーシートと、
前記上面カバーシートの上側に配置される伸縮性を有さない強化シートと、
前記上面カバーシートと前記下面カバーシートとを接着してなる仕切りにより隣り合うように前記上面カバーシートと前記下面カバーシートとの間に設けられる複数の収納部に遊挿される外表面が略球面状の複数の指圧体とを備え、
１つの前記収納部に１つの前記指圧体が遊挿された状態で、前記上面カバーシート、前記下面カバーシート及び前記強化シートの縁辺が閉じられているまたはシールされていることを特徴とする指圧具本体。
【請求項２】
請求項１又は２に記載の指圧具本体に、ベルト、紐、または、帯を取り付けたこと特徴とする指圧具。
【請求項３】
請求項１又は２に記載の指圧具本体に、帯の長手方向にファスナーが配置された帯を取り付けたことを特徴とする指圧具。
【発明の詳細な説明】
【技術分野】
【０００１】
本発明は肩こりや腰痛や背痛などの治療具として、着衣の上から押圧したいツボや疲労部分に指圧具で押圧し、人体に刺激を与えて血行を促進し、肩こりや腰痛、背痛などを軽減する装着用の指圧具本体及び指圧具に関する。
【背景技術】
【０００２】
特許文献１は、合成ゴム材の球状を呈する中空指圧子２個を細長い筒状に編んだビニール製紐の中に入れ、網紐の両端部に調整可能なベルトを設けたロール指圧器具である
【０００３】
特許文献１と、本案の指圧具との大きな違いは、本案は、外表面が略球面状の二つ以上の指圧体と、指圧体を覆う二枚のシートまたは筒体で構成される柔軟性のあるカバーシートからなる袋体と、袋体の片面に配置され前記袋体の周辺と固定される伸縮性を有さない強化シートとを備え、カバーシートは、隣接する複数の収納部を形成するように仕切られており、それぞれの収納部の内部に一つの指圧体が配置され、袋体の片面に強化シートが配置されたことを特徴とする指圧具本体に、ベルト又は紐又は帯の長手方向にファスナーを設けた帯を取り付けたことを特徴とする指圧具であり、特許文献１は、筒状ポケット内に球体を隙間なく一列に並べているので、球体の動きが無く棒状になる。本案は収納部の中で指圧体が僅か動く位のゆとりがあり合わせやすく、指圧体の数の種類も複数あり、患部に応じた対応ができる効果がある。
【０００４】
特許文献２は、布製の長尺袋体に空気封入ボールを複数個内装し、各ボールの位置する袋体の長手方向前後をそれぞれ絞り込んで各ボールを所定位置に固定したものである。
【０００５】
本案は、外表面が略球面状の二つ以上の指圧体と、指圧体を覆う柔軟性のある二枚のシートまたは筒体で構成されるカバーシートからなる袋体と、袋体の片側外表面に配置される伸縮性を有さない強化シートとを備え、袋体は、隣接する複数の収納部を形成するように仕切られており、それぞれの収納部の内部に一つの指圧体が配置され、収納部の片面を覆うように外表面に強化シートが配置されたことを特徴とする指圧具本体に、ベルト又は紐又は帯の長手方向にファスナーを設けた帯を取り付けたことを特徴とする指圧具であり、特許文献２は、使用者が自分の体重の掛け方で調整していくものであり装着しただけでは効果は得られない。本案は強化シートにより、帯体の締め加減で押圧がより加わり、装着しているだけでも適度の押圧があり，肩こり、腰痛、背痛の軽減に効果が得られる。
【先行技術文献】
【特許文献】
【０００６】
【特許文献１】特開２０００−２１０３６４号
【特許文献２】実用新案登録第３１０３８６４号
【発明の概要】
【発明が解決しようとする課題】
【０００７】
本発明は、着衣の上から、身体のツボや押圧したいところの適所に、指圧具を合わせ、帯体で固定し、適度に押圧を加え、人体に刺激を与えて血行を促進し、さらに本人の体重を利用すればより押圧力が加わり、肩こりや腰痛、背痛などを軽減し、指圧具の着脱が簡単な器具を課題とした。
【課題を解決するための手段】
【０００８】
上記第１の目的を達成するために、本発明の指圧具本体は、柔軟性のある上面カバーシートと、前記上面カバーシートの下側に配置される柔軟性のある下面カバーシートと、前記上面カバーシートの上側に配置される伸縮性を有さない強化シートと、前記上面カバーシートと前記下面カバーシートとを接着してなる仕切りにより隣り合うように前記上面カバーシートと前記下面カバーシートとの間に設けられる複数の収納部に遊挿される外表面が略球面状の複数の指圧体とを備え、１つの前記収納部に１つの前記指圧体が遊挿された状態で、前記上面カバーシート、前記下面カバーシート及び前記強化シートの縁辺が閉じられているまたはシールされていることを特徴とする。  外表面が略球面上の指圧体は弾性樹脂等で備え、指圧体四個の場合の大きさは、略４ｃｍ前後で、指圧体の数を増やす場合は、指圧体を小さめにする。
【０００９】
装着用の指圧具の指圧具本体の上面カバーシート及び下面カバーシートは、通気孔のあるネット状で柔軟性のある素材等で構成される。柔軟性のあるシートが身体側にあることで、指圧体が身体に沿いやすく指圧したいところに指圧体を持っていくことができる。また、柔軟性のあるシートであれば球体形状の指圧体の曲面に沿うため指圧体そのものの力が身体に伝わりやすい。
【００１０】
指圧具本体の収納部の作り方は、上面カバーシート及び下面カバーシートの側面を閉じ、指圧体が四個の場合の袋体は、指圧体に僅かにゆとり分を加えたカバーシートの中央を縦横に仕切り、左右を閉じる。
【００１１】
指圧体が複数個の場合、例えば図４（Ｄ）の場合は、上面カバーシート及び下面カバーシートの二枚の側面を閉じ、指圧体の数に応じて、縦横の仕切りを計算し、縦に数本仕切り、底を閉じ、それぞれに指圧体を一個ずつ挿入し、僅かのゆとりを加えてその上を横に仕切り、指圧体を一個ずつ挿入し……を繰り返して最後に縁辺を閉じる。
【００１２】
隣接する複数の収納部の中に、適度の硬さを有し、外表面が略球面体の指圧体を一個ずつ挿入した収納部の広さは、指圧体が僅かに動く位である。指圧体は大小又は数も任意で、指圧具本体は２個以上複数個で大きさは揃える。
【００１３】
上面カバーシート及び下面カバーシートとの間に設けられる収納部に指圧体が配置された状態で収納部を覆うように上面カバーシートの外側（下面カバーシートが配置されていない側）に配置される伸縮性を有さない強化シートにより、強化シートを身体に接触しない側にして下面カバーシートを身体に接触する側で使用することで指圧体が、身体への押圧力を強め、装着したままで押圧力があり，仕事ができ、自由に動く事が出来る。
【００１４】
指圧具本体に調整部材を備えた二つの帯体を対抗する位置に配し、帯体がそれぞれ別個に、ベルト又は帯の長手方向にファスナーを配置した帯又は紐、からなることを特徴とする指圧具であり、指圧具本体と帯体により、身体の上下、左右のツボや押圧したい身体の適所に合わせ、図２（Ｃ）、図３（Ｂ）のように、腕を通すことも可能なので体の適所に合わせやすく固定しやすい装着用の指圧具である。
【００１５】
装着用の指圧具を着用したまま、指圧具本体の上から手で押圧することも効果があり、椅子の背もたれや、ソファーや、壁面や床上に身体を合わせ押圧すると、さらに、指圧体の押圧力を強める。
【００１６】
肩こりの解消に使用する場合は、図２（Ｃ）の帯体のファスナーを開いて腕を通す、又は、図３の紐に、腕を通して装着し、指圧具本体の押圧により軽減する。又は、指圧具の係合部を外し、指圧具を襷がけにして両手に持ち、肩の凝りの位置に指圧体を合わせ、帯体により肩の周辺部の適所を動かし、擦り、押圧力を加減しながら肩の凝りを軽減する。
【発明の効果】
【００１７】
今までの指圧具を使用する時は、マッサージチェアのように高価で場所をとり、又、小物の指圧具を使用する場合も手の補助が必要であった。ベルトを備得た本案と別の指圧具も、固定した位置よりづれやすい。本案は、所望の患部に指圧具を合わせ、調節部材を備えた三種類の帯体により、それぞれに固定しやすく、さらに指圧具本体の強化シートにより、押圧力を強め、人体に刺激を与えて血行を促進する装着用の指圧具であり，両手は自由に使う事が出来、装着したまま自由に行動する事ができる。
【００１８】
指圧具本体の上面カバーシート及び下面カバーシートは、薄肉で通気孔のあるネット状で柔軟性のある素材等で構成され、上面カバーシート及び下面カバーシートを重ねた状態で縦横に仕切り設けられた収納部に指圧体を、それぞれ一個ずつ配置され、収納部の中は適度の広さがあり、指圧体は収納部の中で僅か動かすことができ、身体に添いやすく、所望する患部に指圧本体を当て帯体により身体に固定されるので、仕事中や家事労働中も両手には関係なく指圧効果が生ずる。
【００１９】
上面カバーシートと下面カバーシートとを接着してなる仕切りにより隣り合うように上面カバーシートと下面カバーシートとの間に設けられる複数の収納部に指圧体の挿入された状態で上面カバーシートの外側であって下面カバーシートが配置されていない側の面に、さらに強化シートを加えているので、装着したまま指圧具本体と身体の間に挟まれた指圧体の押圧力がより高まり、デスクでの仕事中や家事の作業中も、装着用の指圧具により指圧効果が生ずる。手は自由に使えて、しかも自由に身体を動かすことができ、帯体の締め加減で押圧力を加減でき、腰痛、肩こり、背痛など身体の疲れ、痛みを軽減することができる。さらに我が体重を利用すれば、押圧力はさらに強化され、指圧効果が高められる。
【００２０】
帯体の締め加減で、押圧の強度も自由に変えることができ、身体の曲線に添うように、帯体の位置を上下左右に動かして押圧の位置や強度をコントロールすることもできる。
【００２１】
さらに我が体重を利用すれば、押圧力はさらに強化され、指圧効果が高められる。身体に装着したまま、椅子の背もたれや、ソファー、壁面や床上に押圧すると、さらに指圧具本体の押圧力が高められ腰痛、肩こり、背痛、身体の疲れ、痛みを軽減する。
【００２２】
装着用の指圧具の着脱が簡単で、装着用の指圧具を身体から外して、椅子の背もたれに、指圧具を掛け、指圧体を表に向け、身体の方を指圧体に合わせて押圧することもでき、車の運転中や仕事中、くつろぐ時、肩こりや腰痛、背痛、などを軽減する効果がある。指圧具本体を手に持ち腕の付け根などをさするだけでも効果が生ずる。
【００２３】
、
マッサージチェアのように一定の時間と場所に拘束されることもなく、また他の指圧具のように手を用いて指圧具の補助を行う事もなく、装着したままで押圧したり身体の所望の患部に指圧具を装着し、帯体の締め加減と、指圧具本体を適所に動かすことにより、ツボの位置や疲れの部位に合すことができ、押圧力も加減でき、腰痛、肩こり、背痛、体の疲れ、痛みを軽減する。
【００２４】
汽車や飛行機の長時間の旅や自動車の運転中等にも装着したまま使用でき、指圧具本体を動かしてツボや痛みの適所に合わせ、腰痛、肩こり、背痛、身体の疲れ、痛み等を軽減できる。
【００２５】
身体と密着して効果を高めるので場所をとらず、着衣の上から又は、上着の下にも使用でき、着脱が簡単で、携帯も可能で持ち運びも楽である。使用後は小袋に収納でき、安価な装着用の指圧具である。
【００２６】
装着用の指圧具を、試作品で繰り返し実験した結果、押圧力は強めるだけでなく緩めに固定しても、しばらく装着していると痛みが軽減される事が分かった。立って居るときは締め加減にし、座って居るときは、緩め加減にすると押圧力の加減が良く、帯体の位置や指圧具本体の位置を自由に動かして、身体の一番適所に指圧具を合し、押圧力も加減すると効果がでる。
【図面の簡単な説明】
【００２７】
【図１】（Ａ）指圧具本体に対抗する二つのベルトを取り付けた指圧具の正面図  （Ｂ）指圧具本体に対抗する二つのベルトを取り付けた指圧具の背面図  （Ｃ）指圧具本体に対抗する二つのベルトを取り付けた指圧具の側面図
【図２】（Ａ）指圧具本体に対抗する二つの帯の長手方向にファスナーを設けた帯を取り付けた指圧具の正面図  （Ｂ）指圧具本体に対抗する二つの帯の長手方向にファスナーを設けた帯を取り付けた指圧具の背面図  （Ｃ）指圧具本体に対抗する二つの帯の長手方向にファスナーを設けた帯のファスナーを開けた圧具の背面図  （Ｄ）指圧具本体に対抗する二つの帯の長手方向にファスナーを設けた帯を取り付けた指圧具の側面図
【図３】（Ａ）指圧具本体に対抗する二つの紐を取り付けた指圧具の正面図  （Ｂ）指圧具本体に対抗する二つの紐を取り付けた指圧具の背面図  （Ｃ）指圧具本体に対抗する二つの紐を取り付けたる指圧具の側面図
【図４】（Ａ）指圧体が４個からなる指圧具本体の背面図  （Ｂ）指圧体が６個からなる指圧具本体の背面図  （Ｃ）指圧体が４個からなる指圧具本体の背面図  （Ｄ）指圧体が１５個からなる指圧具本体の背面図  （Ｅ）指圧体が２個からなる指圧具本体の背面図
【図５】（Ａ）指圧具本体にベルトを取り付けた指圧具を装着した使用実施例である。  （Ｂ）指圧具本体に帯の長手方向にファスナー設けた帯を取り付けた指圧具を装着した使用実施例である。  （Ｃ）指圧具本体に紐を取り付けた指圧具を装着した使用実施例である。
【図６】（Ａ）車中で運転中に使用する指圧具の使用実施例である。  （Ｂ）指圧具を手に握り胸脇や患部を摩る使用実施例である。  （Ｃ）は図５Ｃを身体に装着した前側から見たもので、帯体に調整部材を備えた係合部の使用実施例であり、又は、図５（Ｂ）もファスナーを開くと図５（Ｃ）と同じように使用出来る
【発明を実施するための形態】
【００２８】
以下この発明の実施形態を添付図面を参照しながら詳細に説明する。本発明の範囲は、以下の説明において特に本発明を限定する旨の記載がない限り、これらの態様に限られるものではない。
【００２９】
図１の（Ａ）（Ｂ）（Ｃ）は、指圧本体に対抗する二つのベルトを取り付けた指圧具の正面図・背面図・側面図の実施例である。ベルトからなる指圧具で、図５Ａはベルトを体に装着した使用実施例である。
図２の（Ａ）（Ｂ）（Ｃ）（Ｄ）は、指圧本体に二つの帯の長手方向にファスナーを設けた帯を取り付けた指圧具の正面図・背面図・帯体のファスナー開いた背面図・側面図である。図５Ｂは、体に装着した時の使用実施例である。
図３の（Ａ）（Ｂ）（Ｃ）は、指圧本体に対抗する二つの輪になった紐を取り付けた指圧具の正面図・背面図・側面図である。
図５（Ｃ）は、紐を取り付けた指圧具を身体に装着した時の使用実施例である
図４の（Ａ）（Ｂ）（Ｃ）（Ｄ）（Ｅ）は、２個・４個・６個・１５個…複数個の指圧体からなる指圧具本体の背面図である。指圧本体の指圧体の数と形を抜きだしたものである
図５（Ａ）（Ｂ）（Ｃ）は、指圧本体に対抗する二つの帯体の種類である
（Ａ）帯体がベルトからなる指圧具を身体に装着した使用実施例である。
（Ｂ）帯体がファスナーからなる指圧具の身体に装着した使用実施例である。
（Ｃ）帯体が紐からなる指圧具の身体に装着した使用実施例である。
【００３０】
指圧具本体１の指圧体４は、弾性樹脂等で備え、上面カバーシート（符号なし）及び下面カバーシート５は、通気孔のあるネット状で柔軟性のある素材等であって、２枚のシート以外にも筒状または袋状のものをシート同士が２枚重なるよう状態を利用し構成されており、指圧具本体１を上面カバーシート（符号なし）及び下面カバーシート５は、隣接する複数の収納部を形成するように仕切られており、縦横に仕切り６を入れる。上面カバーシート（符号なし）及び下面カバーシート５は通気孔のあるネット状で柔軟性のある素材の２枚のシート、通気孔のあるネット状で柔軟性のある筒状のシートを又は通気孔のあるネット状で柔軟性のある素材の袋体などから作ることができる
【００３１】
指圧具本体１は、隣接する複数の収納部の中に、適度の硬さを有する弾性樹脂等の指圧体４が、収納部の中に一個ずつ配置されており、収納部の中は指圧体４が少し動く位の広さがあり、前記収納部を覆うように外表面に強化シート３を配置されている。強化シートは上面カバーシート（符号なし）の上側であって下面カバーシート５が配置されていない側に配置されており、使用する際は下面カバーシート５が身体側に接触する（強化シート３側が体に接触しない側）で使用する。指圧体４は、例えば、弾性力のあるゴムボールやピンポン玉のような中空の球体などであってもよい。
【００３２】
指圧具本体１の作り方は、例えば図４（Ａ）の場合は、指圧具本体１の上面カバーシート（符号なし）及び下面カバーシート５５を、側面に添って、中央を縦横に仕切り６を入れ、一方の収納部に、それぞれ指圧体４を挿入し、次に底を作り、残りの収納部に指圧体４を挿入して閉じる。上面カバーシート（符号なし）及び下面カバーシート５からなる収納部を覆うように、上面カバーシート（符号なし）及び下面カバーシート５の側面と強化シート３の側面を合わせ、上面カバーシート（符号なし）及び下面カバーシート５の縁辺と強化シートの縁辺を閉じるまたはシールして外周を閉じる。縁辺の一部に係合部７を持つ帯体２を繋ぐ。
【００３３】
又複数個の指圧体を挿入する場合、例えば、図４（Ｄ）の場合は、指圧体４の数により仕切り６を計算し、指圧具本体１の上面カバーシート（符号なし）及び下面カバーシート５を、側面に添って、縦に仕切り６を入れ、次に底を作り、それぞれに一個ずつ指圧体４を挿入し、その上を横に仕切り６を入れ、またそれぞれに指圧体４を挿入し、繰り返す。前記上面カバーシート（符号なし）及び下面カバーシート５の上面カバーシートの面と強化シート３の面を合わせ、前記上面カバーシート（符号なし）及び下面カバーシート５からなる収納部を覆うように外表面に強化シート３を配置する。
【００３４】
図１（Ａ）、図２（Ａ）、図３（Ａ）で示すように、指圧具本体１の外表面に加えた強化シート３は、強化メッシュ等で作り、強化シート３と上面カバーシート及び下面カバーシートからなる指圧具本体１と身体との間に挟まれた指圧体４が、身体への押圧力を強め、装着したままでも指圧具本体１の押圧力を強める。
【００３５】
指圧具本体１は、二つの帯体２を対抗する位置に配し、前記帯体２はそれぞれ別個に、ベルト８又は帯の長手方向にファスナーを設けた帯９又は紐１０からなることを特徴とする指圧具であり、指圧具本体１を身体の所望の患部に装着し、帯体２が調節部材を備えた係合部７により、身体の適所に固定しやすく、さらに強化シート３により、押圧力が増し、人体に刺激を与えて血行を促進する装着用の指圧具であり，両手は自由に使う事が出来、装着したまま自由に行動する事ができる。
【００３６】
肩こりの解消に使用する場合は、図２の帯体２のファスナー９を開き、両腕を通して固定するか、または図３の帯体２の紐１０を、腕に通して固定すると固定場所が安定し、ずり落ちが少ない。
【００３７】
又は、係合部７を外し、指圧具の帯体２を持って襷がけにして、コリの位置に指圧具本体１を合わせ、帯体２により周辺部を擦動かして摩擦する。
【００３８】
装着用の指圧具を着用したまま、指圧具本体１を、椅子の背もたれや、ソファー、壁面や床上に置き押圧すると、さらに指圧具本体１の押圧力が強まる。
【００３９】
装着用の指圧具を身体から外し、指圧体４を表にして置き、椅子の背もたれに掛けるとか、床の上、布団の上に置き、身体の患部の適所を、指圧具本体１合わせて、押圧すると身体を締め付けずに押圧の効果が出せる。
【００４０】
指圧具本体１を手に持ち図６（Ｂ）のように適所を摩るように使用してもよい。
【符号の説明】
【００４１】
１  指圧具本体
２  帯体
３  強化シート
４  指圧体
５  下面カバーシート
６  仕切り
７  調整部材を備えた係合部
８  ベルト
９  ファスナー
１０  紐
【図１】
2020078463.tif 000003
【図２】
2020078463.tif 000004
【図３】
2020078463.tif 000005
【図４】
2020078463.tif 000006
【図５】
2020078463.tif 000007
【図６】
2020078463.tif 000008